(57)【要約】【課題】ショートカットアイコンの設定内容の把握を容易にするとともに、常時表示するショートカットアイコンの表示数を削減して、更なる表示画面の視認性を確保しながら操作性の向上も図る。【解決手段】ＣＰＵ１１は、ショートカット表示処理において、ショートカットアイコンの表示を指示するＳＣボタン１５ａを常時表示するナビゲーション画面１６３を表示装置１６に表示させる。この画面１６３においてＳＣボタン１５ａが押下されると、設定されたショートカットアイコンＳＣ１〜ＳＣ６を縦列したショートカットウィンドウ１６３ａを表示させる。ＣＰＵ１１は、このウィンドウ１６３ａを閉じることを指示する閉ボタン１５ｂをウィンドウ１６３ａ内に設け、閉ボタン１５ｂが押下されると、このウィンドウ１６３ａを非表示させる。【選択図】　　　　　図１
2004132740.tif 000002
【特許請求の範囲】
【請求項１】
表示手段と、
各種機能を実現する複数のプログラムを記憶する記憶手段と、
各プログラムの起動を指示する複数の指示アイコンを設定する設定手段と、
前記設定手段に設定された複数の指示アイコンの表示を指示する表示指示手段と、
前記表示指示手段による表示指示に応じて、前記設定手段に設定された複数の指示アイコンを前記表示手段に表示させるとともに、表示させた複数の指示アイコンを所定時間が経過すると非表示にする表示制御手段と、
を備えることを特徴とする電子機器。
【請求項２】
前記表示手段に表示された指示アイコンの非表示を指示する非表示指示手段を備え、
前記表示制御手段は、前記非表示指示手段による非表示指示に応じて、前記表示手段に表示された指示アイコンを非表示にすることを特徴とする請求項１に記載の電子機器。
【請求項３】
前記表示制御手段は、前記設定手段に指示アイコンを設定する際に、前記複数の指示アイコンと、前記複数のプログラムとの対応付けを選択するための設定画面を前記表示手段に表示させ、この設定画面において、指示アイコン毎に対応するプログラムの名称を表示させることを特徴とする請求項１に記載の電子機器。
【請求項４】
前記表示制御手段は、前記設定画面において、前記複数の指示アイコンを、前記表示指示に応じて前記表示手段に表示された複数の指示アイコンと同一の表示形態で表示させることを特徴とする請求項３に記載の電子機器。
【請求項５】
前記電子機器は、ナビゲーション装置であることを特徴とする請求項１〜４の何れか一項に記載の電子機器。
【発明の詳細な説明】
【０００１】
【発明の属する技術分野】
本発明は、電子機器に関する。
【０００２】
【従来の技術】
従来から、車両に搭載されて目的地までの誘導を行うナビゲーション装置が普及している。この装置は、現在位置を検出するとともに目的地までの経路を探索し、検出した現在位置近傍の地図を表示して目的地までの誘導を行うものである。最近では、キーワード、住所、電話番号等を入力することによりユーザが所望する目的地を自動的に検索する機能や、地図を２次元又は３次元表示する機能等、ユーザのニーズに応じて様々な機能を実現している。また、ナビゲーションにかかる機能だけではなく、インターネットの閲覧や、電子メールの送受信を行う通信機能を有するものもあり、多機能化が進んでいる。
【０００３】
従来のナビゲーション装置では、多機能化により各機能を指定するメニュー構成が複雑になるため、ユーザがよく使用する機能を簡便に呼び出せるようにするショートカットキーの設定を可能としている（例えば、特許文献１参照）。
【０００４】
以下に、ショートカットキーの設定例として、指示アイコンであるショートカットアイコンを表示した例を説明する。
【０００５】
まず、従来のショートカットアイコンの設定例を図８、図９を参照して説明する。図８は、ショートカットアイコンを設定するための設定画面を示す図である。この図においては、３パターンのショートカットアイコンＳＣａ、ＳＣｂ、つまり合計６つのショートカットアイコンを設定可能とし、ショートカットアイコンとして設定する選択候補のアイコンｉｃ１〜ｉｃ６が表示されている。既に起動するプログラムが設定されているアイコンにはそのプログラムを示すアイコン画像が表示され、まだプログラムが未設定のアイコンには未設定を示す「未」が表示されている。
【０００６】
従来のショートカットアイコンの設定方法を説明する。まず、図８に示す設定画面において、表示されている選択候補の中から設定対象のアイコンを選択する。例えば、設定対象のアイコンとしてアイコンｉｃ３を選択し押下すると、図９に示す選択画面が表示され、アイコンにより起動するプログラムの選択候補がリスト表示される。この選択画面において、例えば設定対象のプログラムとして、地図表示を２次元又は３次元に切り換えるプログラムである「２Ｄ／３Ｄ切換」が選択された場合、パターン３のショートカットアイコンＳＣａとして、２Ｄ／３Ｄ切換のプログラムを起動するショートカットアイコンが設定される。
【０００７】
図１０は、従来のナビゲーション装置において、誘導時に表示されるナビゲーション画面を示す図である。このナビゲーション画面においては、設定画面で設定されたパターン１に属する２つのショートカットアイコンＳＣａ、ＳＣｂが常時表示されている。ユーザはこのアイコンＳＣａ又はＳＣｂを押下するだけで、対応するアプリケーションプログラムを起動することができる。アイコンＳＣａ又はＳＣｂの下部には切換ボタン１５ｃが表示され、この切換ボタン１５ｃの押下により、パターン１のショートカットアイコンＳＣａ、ＳＣｂが、他パターン２又は３のショートカットアイコンＳＣａ、ＳＣｂに切り換えて表示される。これは、設定されている複数のショートカットアイコンのうち２つづつを表示することにより、画面上の表示物を減らして地図を見やすくするためである。
【０００８】
【特許文献１】
特開２００１−２７５４０号公報（第３−６頁、第１図）
【０００９】
【発明が解決しようとする課題】
しかしながら、従来の設定画面では、ショートカットアイコンとプログラム名称とが個別の画面に表示されていたため、ショートカットアイコンとプログラムとの対応関係を把握することが困難であった。また、設定画面ではショートカットアイコンＳＣａ、ＳＣｂとパターン１〜３との対応をテーブルで表示しており、ナビゲーション画面で表示されるショートカットアイコンＳＣａ、ＳＣｂの表示形態とは異なるため、設定時と実際の表示時の対応関係を把握することが困難であった。
【００１０】
また、従来のナビゲーション画面において、ショートカットアイコンは限定されたものが常時表示されていたため、他パターンのショートカットアイコンを表示するには、切換ボタン１５ｃを操作して、ショートカットアイコンの表示を切り換えながら所望のショートカットアイコンを探さなければならず、操作性の改善が必要であった。さらに、ショートカットアイコンの表示数を限定して地図の視認性を考慮しているが、表示数をさらに減らす工夫は可能であり、この点でも改善の余地がある。
【００１１】
本発明の課題は、ショートカットアイコンの設定内容の把握を容易にするとともに、常時表示するショートカットアイコンの表示数を削減して、更なる表示画面の視認性を確保しながら操作性の向上も図ることである。
【００１２】
【課題を解決するための手段】
請求項１に記載の発明は、電子機器において、
表示手段と、
各種機能を実現する複数のプログラムを記憶する記憶手段と、
各プログラムの起動を指示する複数の指示アイコンを設定する設定手段と、
前記設定手段に設定された複数の指示アイコンの表示を指示する表示指示手段と、
前記表示指示手段による表示指示に応じて、前記設定手段に設定された複数の指示アイコンを前記表示手段に表示させるとともに、表示させた複数の指示アイコンを所定時間が経過すると非表示にする表示制御手段と、
を備えることを特徴としている。
【００１３】
【発明の実施の形態】
以下、図を参照して本発明の実施の形態を詳細に説明する。
本実施の形態では、本発明の電子機器がナビゲーション装置に適用された場合を例として説明を行う。
【００１４】
まず、構成を説明する。
図１は、本実施の形態におけるナビゲーション装置１の機能的構成を示すブロック図である。図１において、ナビゲーション装置１は、ＣＰＵ（Ｃｅｎｔｒａｌ　Ｐｒｏｃｅｓｓｉｎｇ　Ｕｎｉｔ）１１、ＧＰＳ（Ｇｌｏｂａｌ　Ｐｏｓｉｔｉｏｎｉｎｇ　Ｓｙｓｔｅｍ）アンテナ１２ａを有するＧＰＳユニット１２、自律航法ユニット１３、メモリ１４、入力装置１５、表示装置１６、地図情報データベース（以下、地図情報ＤＢ；　Ｄａｔａ　Ｂａｓｅと記載する。）１７ａを有する記憶装置１７、計時部１８から構成される。
【００１５】
ＣＰＵ１１は、記憶装置１７に記憶されているシステムプログラム及び各種アプリケーションプログラムの中から指定されたプログラムを読み出してメモリ１４に展開し、当該プログラムに従ってナビゲーション装置１の各部を集中制御する。例えば、ナビゲーションにかかるアプリケーションプログラムを記憶装置１７から読み出して、現在位置検出処理、経路探索処理等を実行する。
【００１６】
ＣＰＵ１１は、記憶装置１７からショートカット設定処理プログラム、ショートカット表示処理プログラムを読み出して実行することにより、表示制御手段を実現している。
【００１７】
ＣＰＵ１１は、ショートカット設定処理（図３参照）において、ショートカットアイコンＳＣ１〜ＳＣ６とアプリケーションプログラムとの対応付けを設定する設定画面１６１（図４参照）を表示装置１６に表示させる。この設定画面１６１において、ＣＰＵ１１は記憶装置１７のショートカット設定テーブル１７１（図２参照）からショートカットアイコンＳＣ１〜ＳＣ６に設定されているアイコン画像を読み出して選択候補のアイコンＩＣ１〜ＩＣ６を表示させる。同時に、各アイコンＳＣ１〜ＳＣ６に設定されているアプリケーションプログラム名称をショートカット設定テーブル１７１から読み出して各アイコンＩＣ１〜ＩＣ６に対応付けて表示させる。
【００１８】
次いで、このアイコンＩＣ１〜ＩＣ６のうち、ショートカットアイコンを設定するアイコンが選択されると、そのアイコンにより起動するアプリケーションプログラムを選択するための選択画面１６２（図５参照）を表示させる。選択画面１６２において、ＣＰＵ１１はアプリケーションプログラムの選択候補をリスト表示し、設定対象のアプリケーションプログラムが選択されると、ショートカット設定テーブル１７１において、選択されたアイコンに、選択されたアプリケーションプログラムの名称を対応付けて記憶させ、ショートカットアイコンとして設定する。
【００１９】
ＣＰＵ１１は、ショートカット表示処理（図６参照）において、表示装置１６にナビゲーション画面１６３（図７（ａ）参照）を表示させ、このナビゲーション画面１６３においてショートカットアイコンの表示を指示するＳＣボタン１５ａを表示させる。次いで、ＳＣボタン１５ａが押下されると、設定されたショートカットアイコンＳＣ１〜ＳＣ６を縦列配置したショートカットウィンドウ１６３ａを、ナビゲーション画面１６３内の所定位置に表示させる。そして、ショートカットアイコンを押下されると、そのアイコンに設定されているアプリケーションプログラムの名称をショートカット設定テーブル１７１から読み出して、その名称に対応するアプリケーションプログラムを記憶装置１７から取得して実行する。
【００２０】
一方、ショートカットアイコンを押下されず、ショートカットウィンドウ１６３ａ内に表示された閉ボタン１５ｂが押下されると、ＣＰＵ１１は、ナビゲーション画面１６３に表示されたショートカットウィンドウ１６３ａを非表示させて、ＳＣボタン１５ａを表示させる。また、ＣＰＵ１１は、ショートカットウィンドウ１６３ａを表示後、計時部１８に計時を開始させ、アイコンが指示されずに計時時間が５秒経過した場合、ウィンドウ１６３ａを非表示させて、同様にＳＣボタン１５ａを表示させる。
【００２１】
ＧＰＳユニット１２は、ＧＰＳアンテナ１２ａを有し、ＧＰＳアンテナ１２ａを介して地球軌道に打ち上げられた複数のＧＰＳ衛星から送信されるＧＰＳ信号を受信する。ＧＰＳユニット１２は、受信したＧＰＳ信号に基づいて車両の絶対的な現在位置（緯度、経度）を検出してＣＰＵ１１に出力する。なお、ＧＰＳアンテナ１２ａは、少なくとも３個のＧＰＳ衛星から送信されるＧＰＳ信号を受信する。
【００２２】
自律航法ユニット１３は、角度センサ、距離センサ等を備えて構成される。角度センサは車の角速度（単位時間あたりの水平方向への回転速度）を検出し、距離センサは車輪の回転に応じて出力されるパルス信号を検出する。自律航法ユニット１３は、角度センサによって検出された角速度信号により移動方位の変化量を算出し、距離センサによって検出された車速パルス信号により車両の移動量を算出し、これらの算出結果に基づいて車両の相対的な位置変化を算出し、ＣＰＵ１１に出力する。
【００２３】
メモリ１４は、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）等から構成され、ＣＰＵ１１によって実行される各種プログラムやこれら各種プログラムによって処理されたデータ等を一時的に記憶するワークエリアを形成する。
【００２４】
入力装置１５は、各種機能に対応する機能キーや、表示装置１６と一体化しているタッチパネル等から構成され、操作されたキー又はタッチ指示に応じた操作信号をＣＰＵ１１に出力する。また、入力装置１５は、ジョグダイヤル等を備えたリモートコントローラを備えることとしてもよい。
【００２５】
入力装置１５は、ショートカット表示処理で表示されるナビゲーション画面１６３において、ショートカットアイコンの表示を指示する表示指示手段としてＳＣボタン１５ａを有する。また、入力装置１５は、ナビゲーション画面１６３において、ショートカットアイコンの非表示を指示する非表示指示手段として閉ボタン１５ｂを有する。
【００２６】
表示装置１６は、ＬＣＤ（Ｌｉｑｕｉｄ　Ｃｒｙｓｔａｌ　Ｄｉｓｐｌａｙ）等により構成される表示手段である。表示装置１６は、ＣＰＵ１１から表示指示されたナビゲーション画面１６３やショートカットアイコンの設定にかかる設定画面１６１、選択画面１６２、或いは入力装置１５を介して入力される入力情報等を表示する。
【００２７】
記憶装置１７は、複数のプログラムを記憶する記憶手段として記憶媒体（図示せず）を備え、この記憶媒体内に、ＣＰＵ１１によって実行されるシステムプログラム、各種アプリケーションプログラム及びこれらプログラムにかかるデータなどを記憶する。
【００２８】
記憶装置１７は、アプリケーションプログラムとして、例えば地図情報の表示にかかるプログラムの場合、地図情報の表示を２次元又は３次元に切り換える２Ｄ／３Ｄ切換プログラム、一画面を複数画面に分割して表示する画面分割切換プログラム、地図情報の表示を上空からの視点に切り換えるスカイマップ切換プログラム、３次元を自由に動き回っているように地図情報を仮想表示するウォークスルー切換プログラム等を記憶している。その他にも、経路探索にかかる各種プログラムやその他の機能を実現するプログラムを記憶している。また、記憶装置１７は、ショートカットアイコンを設定可能なアプリケーションプログラムに対応するアイコン画像を記憶している。
【００２９】
記憶装置１７は、ショートカットアイコンを設定する設定手段であるショートカット設定テーブル１７１を内部に格納する。
ショートカット設定テーブル１７１は、図２にそのデータ格納例を示すように、ショートカットアイコンＳＣ１〜ＳＣ６毎に、そのショートカットアイコンにより起動するアプリケーションプログラムの名称（例えば、２Ｄ／３Ｄ切換、画面分割切換等。）と、そのアプリケーションプログラムに対応するアイコン画像と、を対応付けて記憶している。なお、アプリケーションプログラムが設定されていない場合はその名称の項目に「未設定」のデータを格納する。
【００３０】
記憶装置１７は、その内部に地図情報が格納された地図情報ＤＢ１７ａを有している。具体的に、地図情報ＤＢ１７ａは、例えば各縮尺率の地図情報を格納するとともに、車両の現在位置の検出、マップマッチング、ナビゲーション表示等に使用する地図データ、道路の属性（例えば、道路名、国道、県道、有料道路、一方通行路等）、道路の節点（例えば、三叉路、十字路、Ｔ字路等）、シンボルデータ（例えば、道路、施設、海、湖等）等を含んでいる。
【００３１】
計時部１８は、ＣＰＵ１１の指示に応じて、時間を計時する。
【００３２】
次に、本実施の形態の動作を説明する。
なお、以下に示す図３、図６のフローチャートに記述されている各機能を実現するためのプログラムは、読取可能なプログラムコードの形態で記憶装置１７に格納されており、ＣＰＵ１１は、このプログラムコードに従った動作を逐次実行する。
【００３３】
まず、ショートカットアイコンの設定について説明する。
図３は、ＣＰＵ１１により実行されるショートカット設定処理を示すフローチャートである。
図３において、ＣＰＵ１１は、ショートカットアイコンを設定する指示が入力装置１１を介して入力されると（ステップＳ１；Ｙ）、図４に示すショートカットアイコンの設定画面１６１を表示装置１６に表示させる（ステップＳ２）。
【００３４】
この設定画面１６１において、ＣＰＵ１１は、ショートカット設定テーブル１７１からショートカットアイコンＳＣ１〜ＳＣ６に設定されているアイコン画像を読み出して選択候補のアイコンＩＣ１〜ＩＣ６を表示させる。このとき、選択候補のアイコンＩＣ１〜ＩＣ６は、実際にショートカットアイコンＳＣ１〜ＳＣ６をナビゲーション画面１６３に表示する形態と同一の表示形態で表示される。同時に、ＣＰＵ１１は、ショートカット設定テーブル１７１からショートカットアイコンＳＣ１〜ＳＣ６に設定されているアプリケーションプログラム名称を読み出し、各アイコンＩＣ１〜ＩＣ６に対応付けて表示させる。なお、アプリケーションプログラムが設定されていないアイコンに対しては、そのプログラム名称は未設定と表示される。
【００３５】
設定画面１６１において、各アイコンＩＣ１〜ＩＣ６の中から、ショートカットアイコンを設定するアイコンが選択されると（ステップＳ３）、図５に示すようなアプリケーションプログラムの選択画面１６２を表示させる（ステップＳ４）。
【００３６】
この選択画面１６２において、ＣＰＵ１１は、画面最上部に、選択された設定対象のアイコンに現在設定されているアプリケーションプログラム名称とそのアイコン画像を表示する表示領域を設ける。その下部に、設定対象のアイコンに設定するアプリケーションプログラムの選択候補をリスト表示させる。このプログラムの選択候補は矢印で示すカーソルを操作することにより、他パターンの選択候補に切り換えることが可能である。
【００３７】
選択画面１６２において、設定対象のアプリケーションプログラムが選択されて押下されると（ステップＳ５）、画面最上部に表示していたアイコンの現在の設定状況を、選択されたアプリケーションプログラムの名称及びそのアイコン画像に切り換えて表示させる。
【００３８】
選択画面１６２において、選択された内容の確定が指示されると、設定対象として選択されたアイコンと、選択されたアプリケーションプログラムの名称及びそのアイコン画像とを、ショートカット設定テーブル１７１に対応付けて記憶させ、ショートカットアイコンとして設定させる（ステップＳ６）。
【００３９】
ＣＰＵ１１は、再度設定画面１６１を表示させ、この設定画面１６１において、ショートカットアイコンとして設定されたアイコンの画像を、今回新たに設定されたアプリケーションプログラムのアイコン画像に切り換えて表示させ（ステップＳ７）、ショートカット設定処理を終了する。
【００４０】
次に、ショートカットアイコンの表示について説明する。
図６は、ＣＰＵ１１によって実行されるショートカット表示処理を示すフローチャートである。説明の前提として、ＣＰＵ１１は、誘導経路探索の指示を受けて経路の探索を行い、その探索結果を得ているものとする。
図６において、ＣＰＵ１１は、誘導経路の探索結果として、図７（ａ）に示すようなナビゲーション画面１６３を表示装置１６に表示させる（ステップＳ１０１）。
【００４１】
ＣＰＵ１１は、このナビゲーション画面１６３で、ショートカットアイコンの表示を指示するＳＣボタン１５ａを画面右側の中央部に常時表示させる。このナビゲーション画面１６３において、ＳＣボタン１５ａが押下されると（ステップＳ１０２；Ｙ）、ＣＰＵ１１は、ショートカット設定テーブル１７１からショートカットアイコンＳＣ１〜ＳＣ６に設定されているアイコン画像を読み出す。次いで、図７（ｂ）に示すナビゲーション画面１６３を表示させ、読み出したアイコン画像からなるショートカットアイコンＳＣ１〜ＳＣ６を縦列配置したショートカットウィンドウ１６３ａを画面右側に表示する（ステップＳ１０３）。
【００４２】
ＣＰＵ１１は、このショートカットウィンドウ１６３ａ内に表示したＳＣ３とＳＣ４のアイコンの間に、このショートカットウィンドウ１６３ａを閉じることを指示する閉ボタン１５ｂを表示させる。そして、ショートカットウィンドウ１６３ａを表示後、計時部１８に計時を開始させる。なお、起動するアプリケーションプログラムが設定されていないショートカットアイコンには、未設定を示すアイコン画像が表示される。ＣＰＵ１１は、この未設定のショートカットアイコンによる指示を無効とする。
【００４３】
次いで、ＣＰＵ１１は、ショートカットアイコンＳＣ１〜ＳＣ６のうち、何れかを押下されたか否かを判別し（ステップＳ１０４）、押下された場合はそのショートカットアイコンに対応するアプリケーションプログラムの名称をショートカット設定テーブル１７１から読み出し、その名称に対応するアプリケーションプログラムを記憶装置１７から取得してプログラムを起動し（ステップＳ１０５）、ショートカット表示処理を終了する。
【００４４】
一方、ステップＳ４において、ショートカットアイコンＳＣ１〜ＳＣ６の何れも押下されていない場合は、閉ボタン１５ｂを押下されたか否かを判別する（ステップＳ１０６）。閉ボタン１５ｂが押下された場合は、ナビゲーション画面１６３においてショートカットウィンドウ１６３ａを閉じて非表示にし（ステップＳ１０７）、再度図７（ａ）に示すようにＳＣボタン１５ａを表示する。閉ボタン１５ｂが押下されていない場合は、計時部１８からの計時結果を受け、ショートカットウィンドウ１６３ａを表示後、５秒経過したか否かを判別する（ステップＳ１０８）。５秒経過していない場合はステップＳ３に戻ってショートカットウィンドウ１６３ａの表示を継続し、５秒経過している場合は、ナビゲーション画面１６３においてショートカットウィンドウ１６３ａを閉じて非表示とし（ステップＳ１０７）、ＳＣボタン１５ａを表示してショートカット表示処理を終了する。
【００４５】
以上のように、ショートカットアイコンを設定する設定画面１６１では、設定時のアイコンＩＣ１〜ＩＣ６の表示を、実際にナビゲーション画面１６３でショートカットアイコンＳＣ１〜ＳＣ６を表示した時と同一の表示形態で表示するので、設定時と実際の表示時との対応関係を容易に把握することができ、ショートカットアイコンの設定が容易となる。また、選択候補のアイコンＩＣ１〜ＩＣ６毎に、対応付けられているプログラム名称を表示するので、ショートカットアイコンＳＣ１〜ＳＣ６とプログラムとの対応関係を容易に把握することができる。
【００４６】
また、ナビゲーション画面１６３では、ＳＣボタン１５ａのみを常時表示するので、ナビゲーション画面において、ショートカットアイコンを表示するための表示物を最小限に抑えることができる。また、ＳＣボタン１５ａの押下によってショートカットウィンドウ１６３ａが表示され、設定した全てのショートカットアイコンＳＣ１〜ＳＣ６を一覧できるので、所望のショートカットアイコンを選択しやすくなり、操作性が向上する。さらに、ショートカットウィンドウ１６３ａは、閉ボタン１５ｂを押下する又は５秒経過するとナビゲーション画面１６３において非表示とされるので、ショートカットアイコンの表示はその操作に必要な時間の間だけとなり、ナビゲーション画面の視認性を確保することができる
【００４７】
なお、本実施の形態における記述内容は、本発明の電子機器を適用したナビゲーション装置１の好適な一例であり、これに限定されるものではない。
例えば、上述した説明では、ショートカットウィンドウ１６３ａは、５秒経過すると非表示にすることとしたが、これに限らず、非表示にする所定時間は任意に設定可能であるとする。
【００４８】
その他、本実施の形態におけるナビゲーション装置１の細部構成及び細部動作に関しても、本発明の趣旨を逸脱することのない範囲で適宜変更可能である。
【００４９】
【発明の効果】
本発明によれば、指示アイコンの表示指示に応じて、設定された複数の指示アイコンを表示するとともに、所定時間が経過すると非表示にするので、表示手段に指示アイコンを常時表示する必要がなくなり、表示手段に表示された表示画面の視認性を確保することができる。また、複数の指示アイコンを一覧することができ、所望の指示アイコンを選択しやすくなる。従って、指示アイコンの操作性が向上する。
【図面の簡単な説明】
【図１】本発明を適用した実施の形態のナビゲーション装置１の機能的構成を示すブロック図である。
【図２】図１の記憶装置１７に格納されるショートカット設定テーブル１７１のデータ格納例を示す図である。
【図３】図１のＣＰＵ１１により実行されるショートカット設定処理を示すフローチャートである。
【図４】ショートカット設定処理で表示されるショートカットアイコンの設定画面１６１を示す図である。
【図５】ショートカット設定処理で表示されるアプリケーションプログラムの選択画面１６２を示す図である。
【図６】図１のＣＰＵ１１により実行されるショートカット表示処理を示すフローチャートである。
【図７】（ａ）は、ショートカット表示処理で表示されるナビゲーション画面１６３を示す図である。（ｂ）は、（ａ）に示す表示状態からショートカットウィンドウ１６３ａが表示されたナビゲーション画面１６３を示す図である。
【図８】従来のショートカットアイコンの設定画面を示す図である。
【図９】従来のアプリケーションプログラムの選択画面を示す図である。
【図１０】従来のナビゲーション画面を示す図である。
【符号の説明】
１　　ナビゲーション装置
１１　　ＣＰＵ
１２　　ＧＰＳユニット
１２ａ　　ＧＰＳアンテナ
１３　　自律航法ユニット
１４　　メモリ
１５　　入力装置
１５ａ　　ＳＣボタン
１５ｂ　　閉ボタン
１６　　表示装置
１７　　記憶装置
１７１　　ショートカット設定テーブル
１７ａ　　地図情報ＤＢ
【図１】
2004132740.tif 000003
【図２】
2004132740.tif 000004
【図３】
2004132740.tif 000005
【図４】
2004132740.tif 000006
【図５】
2004132740.tif 000007
【図６】
2004132740.tif 000008
【図７】
2004132740.tif 000009
【図８】
2004132740.tif 000010
【図９】
2004132740.tif 000011
【図１０】
2004132740.tif 000012